(57)【要約】【課題】運転開始時や室温が一時的に急に低下したとき等の立ち上がり時の運転を改善し快適な床暖房を実現する温水式床暖房装置を提供する。【解決手段】床暖房パネル３と、この床暖房パネル３に温水管７でつなぎ開閉弁８を介して温水を供給する熱源機２と、前記開閉弁８を周期的に開閉し一サイクル当たりの開放時間を運転モード毎に変更する制御装置１３とを備えた温水式床暖房装置１において、前記開閉弁８を強制的に開いて運転する強制運転を実施するとともに、この強制運転を解除する強制運転スイッチ１８を設けた。【選択図】　　　図１
2004003685.tif 000002
【特許請求の範囲】
【請求項１】
床暖房パネルと、この床暖房パネルに温水管でつなぎ開閉弁を介して温水を供給する熱源機と、前記開閉弁を周期的に開閉し一サイクル当たりの開放時間を運転モード毎に変更する制御装置とを備えた温水式床暖房装置において、
前記開閉弁を強制的に開いて運転する強制運転を実施するとともに、この強制運転を解除する強制運転スイッチを設けたことを特徴とする温水式床暖房装置。
【請求項２】
前記強制運転スイッチをオン操作することにより、強制運転が所定時間実施されることを特徴とする請求項１に記載の温水式床暖房装置。
【請求項３】
前記強制運転は、運転モード毎に異なる所定時間に設定されていることを特徴とする請求項１または２に記載の温水式床暖房装置。
【請求項４】
温水式床暖房装置の運転を開始する運転スイッチは、前記強制運転スイッチと連動し運転開始時に強制運転を開始することを特徴とする請求項１〜３のいずれかに記載の温水式床暖房装置。
【発明の詳細な説明】
【０００１】
【発明の属する技術分野】
本発明は、床暖房パネルに温水を循環供給させる温水式床暖房装置に関するものである。
【０００２】
【従来技術】
従来、例えば室外に設置した熱源機と室内に敷設した床暖房パネルとを温水管でつなぎ、熱源機で加熱生成された温水を、温水管を介して床暖房パネルに供給循環することにより室内を所望の温度に暖房する温水式床暖房装置（以下、単に床暖房装置という）が知られている。
【０００３】
この種床暖房装置は、温水管に開閉弁を設けこの開閉弁を周期的に開閉制御している。そして、開閉弁の開閉比率を変えることにより暖房能力を変更するモード切替スイッチを設けており、例えば、図４に示すように、一定サイクルＴ内の開閉時間比率を３段階ｔ１、ｔ２、ｔ３に変更することにより強・中・弱の運転モードを設けている。
【０００４】
【発明が解決しようとする課題】
ところで、前記床暖房装置の運転開始時は、温水管、床暖房パネル及び熱源機の内部に保有されている全ての水が冷えているために、これらの水を暖めるのにかなりの時間が必要になる。そこで運転開始時には、一定時間または室内の温度が所定の値に達するまで熱源機の燃焼を最大能力で稼動させ通常運転時よりも高い温水温度で立ち上げる方式の機種がある。
【０００５】
しかしながら、前述したような方式（運転開始時に通常より高い温水温度にて運転を行う）をとらない機種において、運転モードを弱に設定していた場合には、室温が運転開始時から設定温度に達するまでの時間（立ち上がり時間）が長くなることがあり、なかなか暖まらないことによる不快感を感じるという問題があった。
【０００６】
また、室温が一時的に急に低下した場合にも、室温が設定温度に達するまでの時間が長くなるということがあった。
【０００７】
本発明は、上述のような従来の問題点に鑑みなされたものであり、運転開始時や室温が一時的に急に低下したとき等の立ち上がり時の運転を改善し快適な床暖房を実現する温水式床暖房装置を提供することを目的とする。
【０００８】
【課題を解決するための手段】
上記目的を達成するために、請求項１に記載の発明は、床暖房パネルと、この床暖房パネルに温水管でつなぎ開閉弁を介して温水を供給する熱源機と、前記開閉弁を周期的に開閉し一サイクル当たりの開放時間を運転モード毎に変更する制御装置とを備えた温水式床暖房装置において、前記開閉弁を強制的に開いて運転する強制運転を実施するとともに、この強制運転を解除する強制運転スイッチを設けたことを特徴とする。
【０００９】
請求項２に記載の発明は、請求項１に記載の床暖房装置において、前記強制運転スイッチをオン操作することにより、強制運転が所定時間実施されることを特徴とする。
【００１０】
請求項３に記載の発明は、請求項１または２に記載の床暖房装置において、前記強制運転は、運転モード毎に異なる所定時間に設定されていることを特徴とする。
【００１１】
請求項４に記載の発明は、請求項１〜３のいずれかに記載の床暖房装置において、床暖房装置の運転を開始する運転スイッチは、前記強制運転スイッチと連動し運転開始時に強制運転を開始することを特徴とする。
【００１２】
【発明の実施の形態】
以下、本発明の一実施形態を図面に基づいて説明する。図１は本発明の一実施形態における床暖房装置の概略説明図、図２は床暖房装置を操作するリモコンの正面図である。
【００１３】
図１において、本発明の床暖房装置１は、室外に設置した熱源機２と、室内に敷設した床暖房パネル３及びリモコンＲとを備え、熱源機２内には、下方にガス燃焼部４を配設した燃焼装置５と、この燃焼装置５の外周に巻き付けられたパイプ状熱交換器６とを有し、この熱交換器６が配水配管７にて床暖房パネル３に接続されている。前記温水管７の途中には、電磁弁よりなる開閉弁８と循環ポンプＰとを設け、開閉弁８、循環ポンプＰ、室温センサ９及びガス燃焼部４のガス弁１２等を制御装置１３に接続し、全体として床暖房装置１を構成している。室温センサ９は室温を検出して制御装置１３に温度信号を送信している。
【００１４】
図２において、リモコンＲには、運転入／切スイッチ１４、モード切替スイッチ１５、室温設定スイッチ１６、タイマースイッチ１７、及び強制運転スイッチ１８等を有し、これらの操作スイッチで設定された内容や室温等を液晶表示する表示部２２及び前記室温センサ９が設けられている。
【００１５】
前記運転入／切スイッチ１４は、このスイッチ１４を一度押すことにより床暖房装置１の運転が開始され、もう一度押すことにより運転が停止される。モード切替スイッチ１５は、暖房能力を強・中・弱・自動のモードに設定でき、自動のモードに設定した場合には、室温と設定温度の差に応じて自動的に強・中・弱の運転モードに切り替わる。強制運転スイッチ１８は、通常運転中にこのスイッチ１８を押す（オン操作する）ことにより開閉弁８が一定時間連続して開放する強制運転が行われ、強制運転中に押す（オフ操作する）ことにより強制運転を解除することができる。なお、運転入／切スイッチ１４は、強制運転スイッチ１８と連動しており、運転入／切スイッチ１４の入り操作により強制運転が実施される。
【００１６】
次にこの床暖房装置の通常運転時の動作を説明すると、先ずこの燃焼装置５の燃焼加熱によりパイプ状熱交換器３で熱交換された温水は、温水管７を経て床暖房パネル５に流入循環され、前記床暖房パネル３を暖めるとともにこの輻射熱によって室内を加温して室温を上昇させる。この場合、図４に示すように、開閉弁８を周期的に開閉し、床温が大きく変動しないようにしてある。そして、一サイクルＴ内の開閉弁８の開放比率を変えることで、暖房能力を変更できるようにしてある。例えば一サイクルＴを２０分とし、開閉弁８の開放時間ｔ１を１５分とすることで強運転モード、開放時間ｔ２を１０分とすることで中運転モード、開放時間ｔ３を５分とすることで弱運転モードとしている。なお、これら強・中・弱運転中に、室温が設定温度に達した場合には、燃焼装置４の燃焼を停止するとともに、開閉弁８を閉鎖して暖房運転を停止する。そして、室温が設定温度未満になったときに、再び通常運転を開始する。
【００１７】
ところで、床暖房装置１の運転開始時、熱源機２の内部、床暖房パネル３及び温水管７に保有されている全ての水が冷えているために、これらを暖める時間がかなり必要になる。この暖める時間が長いと、立ち上がりが遅れ快適な暖房運転が損なわれることになる。
【００１８】
そこで、次に床暖房装置の立ち上がり運転の動作について説明する。図３は、モード切替スイッチが弱に設定されているときの、運転開始時の開閉弁の開閉動作を示す動作説明図である。
【００１９】
図１、図３において、運転入／切スイッチ１４が入り操作され暖房運転を開始すると、制御装置１３は、強制的に所定時間Ｓ、開閉弁８を開いて温水を循環供給し強制運転を行う。これにより、床暖房パネル３内の冷えた水が燃焼装置５により新しく加熱された温水に置き換えられ、立ち上がり時間が短くなる。そして、強制運転終了後には、通常の運転モードに移行し安定した室温を維持するように制御している。
【００２０】
ここで、強制運転終了後にユーザーが寒いと感じた場合には強制運転スイッチ１８を押す（オン操作する）ことにより強制運転が開始され所定時間Ｓ強制的に開閉弁８を開く強制運転が実施される。これにより、暖房能力が上がり室温が大幅に上昇する。
【００２１】
また、強制運転中にユーザーが暑すぎると感じた場合には、強制運転スイッチ１８を押す（オフ操作する）ことにより強制運転が解除され通常運転に移行する。
【００２２】
前記暖房立ち上がり時の所定時間Ｓは、運転モード毎に運転長さを変えており、例えば強運転モードでは９０分、中運転モードでは６０分、弱運転モードでは３０分、自動運転モードでは９０分の長さで運転するように設定制御される。
【００２３】
このように、本実施形態における床暖房装置２は、運転入／切スイッチ１４が運転操作されると、運転開始時に開閉弁８を連続的に開放し、床暖房パネル３に連続して温水を供給することにより暖房能力を高め、暖房立ち上がり時間を短くして運転立ち上がり時の肌寒さを軽減し快適な暖房を実現することができる。
【００２４】
また、運転モードに対応して運転立ち上がり時の強制運転時間を変えているので、室温の変動を少なくして安定した室温を維持するようにしている。
【００２５】
また、強制運転スイッチ１８を設け、この強制運転スイッチ１８のオフ操作により強制運転中に強制運転の解除ができ、かつ、通常運転中にオン操作することにより強制運転を実施することができるので、ユーザーの希望に沿った室温にすることができる。
【００２６】
以上、一実施の形態に基づいて本発明を説明したが、本発明は、上記実施の形態に限定されるものではない。
【００２７】
【発明の効果】
以上説明したように、本発明の床暖房装置は、床暖房の運転開始時に開閉弁を連続的に開放し、床暖房パネルに連続して温水を供給する強制運転を行うことにより暖房能力を高め、立ち上がり時間を短くして立ち上がり時の寒さによる不快感を軽減し快適な床暖房運転を実現することができる。
【００２８】
また、強制運転の実施と解除とを操作する強制運転スイッチを設けているので、ユーザーの希望温度に沿った床暖房運転を実現することができる。
【図面の簡単な説明】
【図１】本発明の一実施形態における床暖房装置の概略図である。
【図２】図１の床暖房装置を操作するリモコンの正面図である。
【図３】運転開始時の開閉弁の開閉状態を示す動作説明図である。
【図４】各運転モード毎における開閉弁の開閉状態を示す動作説明図である。
【符号の説明】
１　温水式床暖房装置
２　熱源機
３　床暖房パネル
５　燃焼装置
７　温水管
８　開閉弁
９　室温センサ
１３　制御装置
１４　運転入／切スイッチ（運転スイッチ）
１８　強制運転スイッチ
Ｓ　立ち上がり運転の所定時間
【図１】
2004003685.tif 000003
【図２】
2004003685.tif 000004
【図３】
2004003685.tif 000005
【図４】
2004003685.tif 000006